【手続補正書】
【提出日】平成18年4月20日(2006.4.20)
【手続補正１】
【補正対象書類名】特許請求の範囲
【補正対象項目名】全文
【補正方法】変更
【補正の内容】
【特許請求の範囲】
【請求項１】
燃焼材料等の化学反応手段を含む、一定の最少量を超える流体量を触媒装置（１）において処理する方法において、前記方法は、
前記流体量を入口（２）を介して触媒装置（１）に進入させるステップと、
前記流体量を前記触媒装置の少なくとも３つの互に接続した通路部分（３、５、１１、２２）を介して給送するステップであって、前記少なくとも３つの通路部分は、主伝熱通路部分（５）と向流式に熱交換を行う主反応通路部分（３）を含み、少なくとも１つの通路部分は、前記燃焼材料と反応する、及び／または前記燃焼材料の反応を強化する１種類以上の触媒材料を含み、前記少なくとも３つの通路部分の少なくとも１つ、例えば前記主伝熱通路部分、は複数のほぼ平行な管を具備するステップと、
前記少なくとも３つの通路部分の前記流体量を、前記触媒装置の前記部分間での内部熱交換により加熱または冷却するステップと、
処理した流体量を出口（８）を介して触媒装置から放出するステップと、を含むことを特徴とする方法。
【請求項２】
請求項１に記載の方法において、主反応通路部分（３）は主伝熱通路部分（５）と熱交換し、また主反応通路部分は１以上の先行する入口通路部分（１１）部分及び／または１以上の後続の出口通路部分（２２）と熱交換することを特徴とする方法。
【請求項３】
請求項１あるいは２に記載の方法において、流体量は後続の通路部分（３、５、１１、２２）を通って向流式に給送されることを特徴とする方法。
【請求項４】
請求項１乃至３のいずれかに記載の方法において、触媒装置（１）には直接または間接的にさらなる燃焼材料が加えられることを特徴とする方法。
【請求項５】
燃焼材料等の化学反応手段を含む、一定の最少量を超える流体量を処理する触媒装置（１）において、前記装置は、前記流体量のための少なくとも１つの入口と出口とを含む容器（ｃ）を備え、前記容器がさらに、互いに接続した少なくとも３つの通路部分（３、５、１１、２２）を具備し、前記通路部分（３、５、１１、２２）の少なくとも１つの部分（３）が１種類以上の触媒材料（４）を含む装置であって、
前記通路部分（３、５、１１、２２）の配置は、通路部分（３、５、１１、２２）間の相互の熱交換を行う少なくとも１つの内部熱交換器（ｈ）を構成し、
主反応通路部分（３）は、前記少なくとも３つの通路部分（３、５、１１、２２）の主伝熱通路部分（５）と向流式に熱交換し、
前記少なくとも３つの通路部分の少なくとも１つ、例えば前記主伝熱通路部分（５）は、複数のほぼ平行な管を具備することを特徴とする触媒装置。
【請求項６】
請求項５に記載の触媒装置（１）において、前記触媒装置は３つの通路部分（３、５、１１、２２）を備えることを特徴とする触媒装置。
【請求項７】
請求項５あるいは６に記載の触媒装置（１）において、前記１以上の入口通路部分（１１）は、前記主反応通路部分（３）の上に、その部分に沿ってまたはその外側に例えば前記部分を囲繞して位置することを特徴とする触媒装置。
【請求項８】
請求項５乃至７のいずれかに記載の触媒装置（１）において、前記１以上の出口通路部分（２２）は、前記主反応通路部分（３）の上に、その部分に沿ってまたはその外側に例えば前記部分を囲繞して位置することを特徴とする触媒装置。
【請求項９】
請求項５乃至８のいずれかに記載の触媒装置（１）において、前記主反応通路部分（３）は、前記主伝熱通路部分（５）の上に、その部分に沿ってまたはその外側に例えば前記部分を囲繞して位置することを特徴とする触媒装置。
【請求項１０】
請求項５乃至９のいずれかに記載の触媒装置（１）において、前記少なくとも３つの通路部分の少なくとも１つ、例えば前記主伝熱通路部分（５）、は１以上のほぼ平行な管を具備することを特徴とする触媒装置。
【請求項１１】
請求項１０に記載の触媒装置（１）において、前記主伝熱通路部分（５）は前記主反応通路部分（３）に多数の管として組み入れられることを特徴とする触媒装置。
【請求項１２】
請求項１０あるいは１１に記載の触媒装置（１）において、前記管の数は２０と１０００の間、好ましくは５０と２５０の間であることを特徴とする触媒装置。
【請求項１３】
請求項１０乃至１２のいずれかに記載の触媒装置（１）において、前記管は三角、四角や同様の模様などの対称模様、もしくは不揃いの模様を形成することを特徴とする触媒装置。
【請求項１４】
請求項１０乃至１３のいずれかに記載の触媒装置（１）において、前記管は、１以上の担持体手段（１７−に２１）に被着した触媒材料（４）により囲繞されることを特徴とする触媒装置。
【請求項１５】
請求項５乃至１４のいずれかに記載の触媒装置（１）において、前記管は円、楕円、三角、四辺や同様の規則的または不規則な断面形状をなすことを特徴とする触媒装置。
【請求項１６】
請求項５乃至１５のいずれかに記載の触媒装置（１）において、前記３つの通路部分の少なくとも１つ、例えば前記主伝熱通路部分（５）は、１以上の薄層板を含むことを特徴とする触媒装置。
【請求項１７】
請求項１６に記載の触媒装置（１）において、前記１以上の薄層板は非円形の導管、例えば三角形、四辺形、これらの組合せや同様の形状でつくられる断面形状をもつ導管、を形成することを特徴とする触媒装置。
【請求項１８】
請求項１６あるいは１７に記載の触媒装置（１）において、前記１以上の薄層板の表面のくぼみは、縦や斜めの模様を形成することを特徴とする触媒装置。
【請求項１９】
請求項５乃至１８のいずれかに記載の触媒装置（１）において、前記触媒材料（４）は、前記少なくとも３つの通路部分（３、５、１１、２２）の少なくとも１つにある１以上の担持体手段（１７−２１）に被着することを特徴とする触媒装置。
【請求項２０】
請求項１４乃至１９のいずれかに記載の触媒装置（１）において、前記１以上の担持体手段（１７−２１）は金属、セラミック、ガラス、その他耐熱材料、並びに言及した材料の組合せで作られることを特徴とする触媒装置。
【請求項２１】
請求項１４乃至２０のいずれかに記載の触媒装置（１）において、前記１以上の担持体手段（１８）は少なくとも１つの形、例えば球、円筒、四角、の各形状並びにサドル、リングの規則的または不規則な形を含むことを特徴とする触媒装置。
【請求項２２】
請求項１４乃至２１のいずれかに記載の触媒装置（１）において、前記１以上の担持体手段（１７−２１）は、１つの前記通路部分を横断する各層（Ｌ）に多数の規則的または不規則なボール（１８）を含み、各層は２つの隣接する管の間で直角に位置し、各前記層は２乃至６のボール、例えば２乃至４、好ましくは２と３の間のボールを具備することを特徴とする触媒装置。
【請求項２３】
請求項１４乃至２２のいずれかに記載の触媒装置（１）において、前記１以上の担持体手段（１７−２１）は、モノリス（１９、２１）または繊維（１７、２０）を含むことを特徴とする触媒装置。
【請求項２４】
請求項２３に記載の触媒装置（１）において、前記触媒材料の被着物である前記繊維（１７、２０）は、１以上の前記通路部分を部分的または全体的に満たす絡まった繊維の束を形成することを特徴とする触媒装置。
【請求項２５】
請求項２３あるいは２４に記載の触媒装置（１）において、前記触媒材料（４）の被着物である前記モノリス（１９、２１）または繊維（１７、２０）は、１以上の前記通路部分内に縦方向のモノリスまたは繊維を形成することを特徴とする触媒装置。
【請求項２６】
請求項５乃至２５のいずれかに記載の触媒装置（１）において、少なくとも３つの通路部分（３、５、１１、２２）の前記主反応通路部分（３）は、前記担持体手段（１７−２１）の被着物である１種類以上の前記触媒材料（４）を含むことを特徴とする触媒装置。
【請求項２７】
請求項５乃至２６のいずれかに記載の触媒装置（１）において、前記少なくとも３つの通路部分（３、５、１１、２２）の前記１以上の入口及び／または出口通路部分（１１、２２）は、前記担持体手段（１７−２１）の被着物である１種類以上の前記触媒材料（４）を含むことを特徴とする触媒装置。
【請求項２８】
請求項５乃至２７のいずれかに記載の触媒装置（１）において、１以上の前記少なくとも３つの通路部分は、ウォールフローフィルター（２１）、繊維（１７、２０）、ボール（１８）及び／またはモノリス（１９）を含む結合した担持体手段を具備し、例えば通路部分の１／３はウォールフローフィルター、通路部分の残りは繊維、ボールやモノリスとされることを特徴とする触媒装置。
【請求項２９】
請求項２８に記載の触媒装置（１）において、前記結合した担持体手段は、１以上の前記少なくとも３つの通路中に互いに連続して位置することを特徴とする触媒装置。
【請求項３０】
請求項５乃至２９のいずれかに記載の触媒装置（１）において、前記触媒材料（４）には、白金（Ｐｔ）、パラジウム（Ｐｌ）、ロジウム（Ｒｈ）などの白金族の金属や合金、もしくはこれらの組合せを含むことを特徴とする触媒装置。
【請求項３１】
請求項５乃至３０のいずれかに記載の触媒装置（１）において、前記触媒材料には、金属酸化物、例えば金（Ａｕ）、白金（Ｐｔ）、銀（Ａｇ）、アルミニウム（Ａｌ）、鉛（Ｐｂ）、ジルコニウム（Ｚｒ）、銅（Ｃｕ）、コバルト（Ｃｏ）、ニッケル（Ｎｉ）、鉄（Ｆｅ）、セリウム（Ｃｅ）、クローム（Ｃｒ）、錫（Ｓｎ）、マンガン（Ｍｎ）、並びにロジウム（Ｒｈ）の各酸化物、もしくはこれらの組合せを含むことを特徴とする触媒装置。
【請求項３２】
請求項３０あるいは３１に記載の触媒装置（１）において、前記触媒材料（４）には、白金族の金属や合金と金属酸化物との組合せを含むことを特徴とする触媒装置。
【請求項３３】
請求項５乃至３２のいずれかに記載の触媒装置（１）において、前記主反応通路部分（３）は、前記少なくとも３つの通路部分（３、５、１１、２２）の前記主伝熱通路部分（５）と熱交換することを特徴とする触媒装置。
【請求項３４】
請求項３３に記載の触媒装置（１）において、前記主反応通路部分（３）は前記主伝熱通路部分（５）と向流式に熱交換することを特徴とする触媒装置。
【請求項３５】
請求項５乃至３４のいずれかに記載の触媒装置（１）において、前記主反応通路部分（３）は、前記１以上の先行する入口及び／または後続の出口通路部分（１１、２２）と熱交換することを特徴とする触媒装置。
【請求項３６】
請求項３５に記載の触媒装置（１）において、前記主反応通路部分（３）は、前記１以上の入口通路部分（１１）と向流式に熱交換することを特徴とする触媒装置。
【請求項３７】
請求項３５に記載の触媒装置（１）において、前記主反応通路部分（３）は、前記１以上の出口通路部分と向流式に熱交換することを特徴とする触媒装置。
【請求項３８】
請求項５乃至３７のいずれかに記載の触媒装置（１）において、前記装置は、前記少なくとも３つの通路部分（３、５、１１、２２）間に少なくとも１つの絶縁層（１２）を具備することを特徴とする触媒装置。
【請求項３９】
請求項３８に記載の触媒装置（１）において、前記少なくとも１つの絶縁層（１２）は、前記主反応通路部分（３）と前記１以上の入口通路部分（１１）との間に位置することを特徴とする触媒装置。
【請求項４０】
請求項５乃至３９のいずれかに記載の触媒装置（１）において、前記主反応通路部分（３）の断面積は、前記主伝熱通路部分（５）の断面積の０．５倍と１００倍の間、例えば１０倍と２５倍の間、好ましくはおよそ２０倍であり、前記主伝熱通路部分（５）及び／または前記入口もしくは出口通路部分（１１、２２）の断面積は、上記断面積の０．５倍と１００倍の間であることを特徴とする触媒装置。
【請求項４１】
請求項５乃至４０のいずれかに記載の触媒装置（１）において、主伝熱通路部分（５）の断面積は、触媒装置の入口（２）の断面積の０．５倍と１０倍の間、例えば１．５倍と２．５倍の間、好ましくはおよそ２倍であり、前記入口の管（２）は、接続された内燃機関の排出管であることを特徴とする触媒装置。
【請求項４２】
請求項５乃至４１のいずれかに記載の触媒装置（１）において、少なくとも１つの前記通路部分（３、５、１１、２２）は、多数の多孔性壁面（１６）を持つ１以上のウォールフローフィルター（２１）を具備し、流体量（１５）をして壁面に貫通させることを特徴とする触媒装置。
【請求項４３】
請求項５乃至４２のいずれかに記載の触媒装置（１）において、装置には、例えば燃料タンクと燃料供給手段（Ｓ１）とに接続した燃料ライン（Ｓ４）を介して、もしくはさらなる燃焼材料を流体量に加えることにより、さらなる燃焼材料が加えられることを特徴とする触媒装置。
【請求項４４】
請求項１乃至４に記載の、燃焼材料等の化学反応手段を含む一定の最少量を超えた流体量を触媒装置において処理する方法を用いて、内燃機関からの排ガスを浄化する方法。
【請求項４５】
請求項１乃至４に記載の、燃焼材料等の化学反応手段を含む一定の最少量を超えた流体量を触媒装置において処理する方法を用いて、発熱や吸熱の化学反応と関連する温度の調整や制御を産業上の化学的応用により行う方法。
【請求項４６】
請求項１乃至４に記載の、燃焼材料等の化学反応手段を含む一定の最少量を超えた流体量を触媒装置において処理する方法を用いて、燃料電池の、または燃料電池に関連する温度の調整や制御を行う方法。
【請求項４７】
請求項５乃至４３のいずれかに記載の触媒装置を、車両の燃焼機関、例えばガソリン、ディーゼル、天然ガス、携帯用圧縮ガス、もしくは同様の燃料により作動する機関、と関連して使用する方法。
【請求項４８】
請求項５乃至４３のいずれかに記載の触媒装置を、熱と動力との結合装置などの動力装置における定置燃焼機関、例えばガソリン、ディーゼル、天然ガス、携帯用圧縮ガス、もしくは同様の燃料により作動する機関と関連して使用する方法。
【請求項４９】
請求項５乃至４３のいずれかに記載の触媒装置を、発熱や吸熱の化学反応と関連して産業上の化学的応用により使用する方法。
【請求項５０】
請求項５乃至４３のいずれかに記載の触媒装置を、燃料電池の、または燃料電池に関連する温度の調整や制御に使用する方法。